(57)【要約】【課題】  洗磨される米等の穀粒類に対し、攪拌体の押し当てる圧力の変化が行え、また洗磨される穀粒類が容器本体底部の全体にわたって循環されるような穀粒類の洗磨器を提供する。【解決手段】  上面が開口した有底円筒形の容器本体１と、この容器本体１内に入れられた米Ｒ等の穀粒類を水Ｗとともに攪拌する攪拌体２とを具え、穀粒類の洗磨を行う器具において、前記攪拌体２は前記容器本体１に対し非固定状態であり、前記攪拌体２における攪拌作用部２０は多数本の線棒状部材２１を用いて前記容器本体１の碗型の内面形状に近接して沿った碗型形状に形成されるもので、この攪拌体２の底面中心は、下方から見て上方に向かって凹陥していることを特徴とする。【選択図】図１
2006025959.tif 000002
【特許請求の範囲】
【請求項１】
上面が開口した有底円筒形の容器本体と、この容器本体内に入れられた穀粒類を水とともに攪拌する攪拌体とを具え、穀粒類の洗磨を行う器具において、
前記攪拌体は前記容器本体に対し非固定状態であり、前記攪拌体における攪拌作用部は多数本の線棒状部材を用いて前記容器本体の碗型の内面形状に近接して沿った碗型形状に形成されるもので、この攪拌体の底面中心は、下方から見て上方に向かって凹陥していることを特徴とする穀粒類の洗磨器。
【請求項２】
前記容器本体の周壁の所定高さに、排水口を開口するとともに前記穀粒類の流出を防ぐ大きさの網目の網体を張設したことを特徴とする請求項１記載の穀粒類の洗磨器。
【請求項３】
前記穀粒類は、米であることを特徴とする請求項１または２記載の穀粒類の洗磨器。
【発明の詳細な説明】
【技術分野】
【０００１】
本発明はいわゆる米とぎに代表される穀粒類の表面に付着した微粉等を洗磨する器具に関するものであって、特に穀粒類の洗磨効率の向上をさせ、以て洗磨時間の短縮化と負担の軽減化を実現させる穀粒類の洗磨器の改良に係るものである。
【背景技術】
【０００２】
洗米等の穀粒類の洗磨は、手にあかぎれや、しもやけ等を疾患したり、怪我をしている者など、人によって非常に辛く、また一般的にも洗米は毎日行われることから、特に冬場には、冷たく手が冷えるため、辛い作業となっている。
【０００３】
このため、従来より簡易に洗米が行われるように多数の手動式の洗米器に関する発明がなされており、具体的にはこれらの発明は、おおよそ米を入れる容器本体と、この容器本体内で回転される攪拌体とを具えて成る（例えば特許文献１、２、３参照）。
しかしこれらは、攪拌体が回転自在に支持されるものが多く、単に米の単純な攪拌作用しか有していないものがほとんどで、米に対する攪拌体の押し当てる圧力を変えることができず、冷水に手を晒す苦痛を取り除くことができるものの、より効率的な洗米作業を行うことができるとは言いがたいものである。また米は攪拌体によってほぼ同一の旋回軌道を回転させられるもので、ほぼ同一の容器本体底部の全体にわたって循環されるような穀粒類の洗磨器はなかった。
【特許文献１】特開昭６０−２２０１４号公報
【特許文献２】特開平７−２９８９９２号公報
【特許文献３】特開２０００−３１６７３２公報
【発明の開示】
【発明が解決しようとする課題】
【０００４】
本発明はこのような背景からなされたものであって、洗磨される米等の穀粒類に対し、攪拌体の押し当てる圧力の変化が行え、また洗磨される穀粒類が容器本体底部の全体にわたって循環されるような穀粒類の洗磨器を実現しようとするものである。
【課題を解決するための手段】
【０００５】
すなわち請求項１記載の穀粒類の洗磨器は、上面が開口した有底円筒形の容器本体と、この容器本体内に入れられた穀粒類を水とともに攪拌する攪拌体を具え、穀粒類の洗磨を行う器具において、前記攪拌体は前記容器本体に対し非固定状態であり、前記攪拌体における攪拌作用部は多数本の線棒状部材を用いて前記容器本体の碗型の内面形状に近接して沿った碗型形状に形成されるもので、この攪拌体の底面中心は、下方から見て上方に向かって凹陥していることを特徴として成るものである。
【０００６】
また請求項２記載の穀粒類の洗磨器は、前記要件に加え、前記容器本体の周壁の所定高さに、排水口を開口するとともに前記穀粒類の流出を防ぐ大きさの網目の網体を張設したことを特徴として成るものである。
【０００７】
更に請求項３記載の穀粒類の洗磨器は、前記要件に加え、前記穀粒類は、米であることを特徴として成るものである。
【発明の効果】
【０００８】
本発明の穀粒類の洗磨器は、上述した手段により以下のような効果を奏するものである。
すなわち請求項１記載の穀粒類の洗磨器によれば、攪拌体における攪拌作用部は多数本の線棒状部材を用いて前記容器本体の碗型の内面形状に近接して沿った碗型形状に形成されるもので、この攪拌体の底面中心は、下方から見て上方に向かって凹陥しているため、穀粒類を水とともに容器本体に入れ、攪拌体を回転及び停止することにより、攪拌体の回転時は攪拌による渦巻き流により、穀粒類は容器本体の周壁に寄り、洗磨され、停止時には渦巻水流がなくなることと、容器本体の碗型の内面形状及び攪拌体の底面中心の凹陥部より容器本体の中心に即座に戻る。このような穀粒類の周壁と中心との循環移動により洗磨される穀粒類に偏りがなく、万遍なく洗磨が施されるものであり、短時間の洗磨完了を達成させる。
また攪拌体は回転軸等に支持されているわけではないため、米に対する押圧力の調節が手加減で自在にでき、また攪拌部は、多数本の線棒状部材を用いて形成され弾力性を有しているため、より容器本体の形状に合致し、洗磨力が高い。またこのような効果は本発明が米だけでなく、複数種の食材を対象としていることから極めて有利な効果を奏するものである。またシンプルな構造であるため、故障も生じにくく、製造コストも比較的低廉に抑えることができる。
【０００９】
また請求項２記載の穀粒類の洗磨器によれば、容器本体の周壁の所定高さに、排水口を開口するとともに前記穀粒類の流出を防ぐ大きさの網目の網体を張設しているため、水を流し入れながら穀粒類を洗磨し、汚れた洗磨水は、排水口から随時排水される。また汚れた洗磨水を全て排水する際にも、この排水口から排水すれば、中の穀粒類が流出することがない。
【００１０】
更に請求項３記載の穀粒類の洗磨器によれば、穀粒類が米である場合、米に付着した糠が速く綺麗に取れるため、手が疲れたりせず、また水道水の節約にもなる。また手を水に付けなくてもよいため、あかぎれや、しもやけの防止、抑制効果もある。また通常の家庭では、ほぼ毎日一回から数回にわたり洗米が行われるため、穀粒類の洗磨器を用いるメリットは長期的に加算すると極めて大きなものとなる。
【発明を実施するための最良の形態】
【００１１】
本発明の穀粒類の洗磨器の最良の形態は、具体的には以下の実施例に述べるとおりである。
【実施例】
【００１２】
以下本発明を図示の実施の形態に基づき説明する。図中符号Ａで示すものが本発明の穀粒類の洗磨器で、上面が開口した容器本体１と、この容器本体１内に入れられた穀粒類を水Ｗとともに攪拌する攪拌体２とを具えて成る。
なお本実施例では、一例として白米を洗米する例をとって説明するが、本発明の穀粒類の洗磨器Ａが適用できる穀粒類としては、白米の他、玄米、大豆、ジャガイモ及びそばの実等、種々のものが適用し得る。
以下各部材について詳細に説明する。
【００１３】
前記容器本体１について説明する。容器本体１は、穀粒類を内部に受け入れ、水Ｗとともにこの穀粒類を前記攪拌体２により攪拌して洗磨する容器である。
容器本体１は、有底円筒形をしており、一例として周壁１０の約半分から上部の高さ位置の半周面ほどにわたって排水口１１を複数個所開口し、この排水口１１には、穀粒類の流出を防ぐ大きさの網目の網体１２が張設されている。また周壁１０上部外面には、洗磨時に容器本体１を支持するための取手１３が設けられている。なおこの取手１３は、鉤状に形成されており、不使用時における吊り下げ用のフックとしても使用できる。一方、容器本体１内の底部１４は、底部周縁を丸く湾曲させた碗型形状に形成されている。因みに上記排水口１１は、容器本体１の材質等によって充分な強度性が得られれば、複数個設けるのではなく、三つの排水口１１が連なったような大きな面積を有した単一の排水口で実施することも製作上の観点からは好ましい。
【００１４】
前記攪拌体２について説明する。攪拌体２は、複数本の線棒状部材２１によって形成される攪拌作用部２０と、この線棒状部材２１を上部において固定支持する円環状の支持枠２２と、この支持枠２２の中央に架設される水平補強ロッド２３と、この水平補強ロッド２３の中心と前記攪拌作用部２０の底部中心とを連結する垂直補強ロッド２４とを具える。更に前記水平補強ロッド２３の一方の端部側には、上方へハンドルアーム２５が立ち上げられ、このハンドルアーム２５に対し、攪拌体２を回動操作するためのハンドル２６が回転自在に設けられている。因みに攪拌体２による攪拌は、このハンドル２６を持って回すか、前記水平補強ロッド２３を持って回すものであるが、どちらかといえば、水平補強ロッド２３を持って回す方が、米Ｒに対する押圧力の微調整がしやすい。従って、ハンドル２６を使用しない場合を想定してハンドルアーム２５を水平補強ロッド２３に対し、蝶ネジ等を用いて簡単に使用者が着脱自在とできるように構成しておくことも好ましい。
【００１５】
前記攪拌作用部２０は、全体として容器本体１の碗型の内面形状に沿った碗型形状に形成されるもので、本発明の特徴として底面中心は、上方に向かって一例として約１ｃｍほど凹陥した凹陥部２０ａを有している。この凹陥部２０ａは、攪拌時に容器本体１の周壁１０側へ寄った米Ｒの中心方向への戻りを促すためのものであるが、凹陥部２０ａが大きいと戻り作用は大きく、攪拌力及び洗磨力は弱くなり、反対に凹陥部２０ａが小さいと戻り作用は弱く、攪拌力及び洗磨力が強くなる性質を有している。
また攪拌作用部２０は直径がわずかに容器本体１の直径よりも小さく形成し、攪拌作用部２０の周側部を容器本体１の周壁１０に隙間間隔ｇ少なく近接させるものであり、具体的には攪拌作用部２０の直径は、容器本体１の直径よりも約２ｃｍほど小さく形成されている。
【００１６】
なお前記容器本体１と攪拌体２の素材は、強度面や衛生面を考慮すると、多くの部分にステンレスを用いることが好ましいが、例えば容器本体１に合成樹脂を用いたり、攪拌体２の線棒状部材２１にステンレス線ではなく、種々の素材の線材、例えば鉄に亜鉛系のメッキを施した一般的な普通の針金等を用いて実施することも可能である。
【００１７】
本発明の穀粒類の洗磨器Ａの一例は以上のような具体的形態を有するものであって、以下この作動態様を説明する。
まず図４（ａ）（ｂ）（ｃ）に示すように容器本体１に米Ｒを投入し、水Ｗを入れ、攪拌体２を容器本体１へ挿入し載置する。なお攪拌体２、米Ｒ、水Ｗの容器本体１内へ入れる順序は、使用者の好みにより適宜の順序で行い得るものである。そして以上のように洗米の準備が整った後、攪拌体２を攪拌させて洗米を行う。
【００１８】
攪拌態様は具体的には、一方の手で取手１３を持って容器本体１を支持し、残るもう一方の手で水平補強ロッド２３の中心付近、若しくはハンドル２６を手で持って一例として攪拌体２を半回転ずつ正逆回転させて洗米を行う。なお攪拌体２は回転軸等に支持されているわけではないため、米Ｒに対する押圧力の調節が手加減で自在にでき、更に攪拌体２が線棒状部材２１で弾力性を有しているため、より容器本体１の形状に合致し、米Ｒを割ったり、潰してしまわない範囲内で洗磨力が高い。なお洗米時において水道水等の水Ｗを常時容器本体１内へ流し入れて洗米を行うようにしてもよいし、適宜の間隔で水Ｗを流し入れるようにしてもよい。また攪拌体２は、回転させるのみでなく、適宜上下動させて米Ｒを押し揉むような操作をすることも好ましい。そして米Ｒは線棒状部材２１と容器本体１との間で擦られること及び攪拌されることにより米Ｒの表面に付着した糠が落とされる。
【００１９】
攪拌時における米Ｒの動きについて更に詳細に述べると、攪拌体２を攪拌しているときには、容器本体１の底部中心を中心として図４（ｄ）、図５（ａ）（ｂ）に示すように渦巻きができ、攪拌される米Ｒは容器本体１の周壁１０に寄る。そして数秒間攪拌を停止すると、渦巻きがなくなり米Ｒは、図４（ｅ）、図６（ａ）（ｂ）に示すように中心に戻る。なおこの際、容器本体１の底部１４が碗型形に形成され底部中心に向かって傾斜していることと、攪拌体２の底面中心は上方に向かって凹陥しているため、米Ｒの容器本体１中心への戻りが速い。因みに米Ｒの容器本体１中心への戻りを重視し、凹陥の程度を大きくしすぎると、底面の米Ｒに接触する面積が減少するため、洗磨力や攪拌力が極端に減衰し好ましくない。そしてまた攪拌を再開すると再び渦流により米Ｒは容器本体１の周壁１０側に寄り攪拌される。米Ｒは複数本の線棒状部材２１により多数個所において直接的に攪拌されることと、攪拌体２の凹陥部２０ａにより米Ｒが容器本体１の周壁１０と中心側とを積極的に循環されることなどから、手で攪拌する場合と比べ格段に洗米効率が上がる。
【００２０】
また洗磨時において、余分な水Ｗは排水口１１から排水される。そして排水口１１には網体１２が張設されているため、米Ｒは水Ｗとともに流れ出ることはない。また適宜、糠で濁った水Ｗ（とぎ汁）は図４（ｆ）に示すように排水口１１から容器本体１を傾倒させて捨てる。このとき排水口１１から米Ｒが流出することがないため、経済的である。なお使用後は、容器本体１の鉤状の取手１３で適宜個所に吊るして乾燥させることができる。
【００２１】
とぎ汁が透明となり洗米を終了する場合、図４（ｇ）に示すように排水口１１が設けられていない方を下部として容器本体１を傾倒させ、中の米Ｒを水Ｗとともに炊飯用の釜に移し替える。
【００２２】
なおジャガイモを洗磨する場合には、攪拌体２を容器本体１へ挿入し載置した後に、この攪拌体２上に比較的小さなジャガイモを載置し、水Ｗとともに攪拌する。このようにジャガイモの洗磨に本発明の穀粒類の洗磨器Ａを用いた場合には、ジャガイモの皮むきがなされる。
【図面の簡単な説明】
【００２３】
【図１】本発明の穀粒類の洗磨器を一部破断して示す斜視図である。
【図２】同上、縦断側面図である。
【図３】同上、斜視図である。
【図４】穀粒類の洗磨器における作動態様の全体を示す説明図である。
【図５】穀粒類の洗磨器における攪拌時の作動態様を示す縦断側面図並びに横断平面図である。
【図６】穀粒類の洗磨器における非攪拌時の作動態様を示す縦断側面図並びに横断平面図である。
【符号の説明】
【００２４】
Ａ        穀粒類の洗磨器
１        容器本体
２        攪拌体
１０      周壁
１１      排水口
１２      網体
１３      取手
１４      底部
２０      攪拌作用部
２０ａ    凹陥部
２１      線棒状部材
２２      支持枠
２３      水平補強ロッド
２４      垂直補強ロッド
２５      ハンドルアーム
２６      ハンドル
Ｒ        米
Ｗ        水
ｇ        隙間間隔
【図１】
2006025959.tif 000003
【図２】
2006025959.tif 000004
【図３】
2006025959.tif 000005
【図４】
2006025959.tif 000006
【図５】
2006025959.tif 000007
【図６】
2006025959.tif 000008